(57)【特許請求の範囲】
【請求項１】
濾過材が収容されたフィルターケーシングと水槽との間で水を循環ポンプによって循環させるようにした水槽用フィルターであって、
流入口および流出口を有する流路切替手段と、
前記流路切替手段に流入した水を前記フィルターケーシングの一端側に流入する濾過材一端流入路と、
前記流路切替手段に流入した水を前記フィルターケーシングの他端側に流入する濾過材他端流入路と、
前記フィルターケーシングの他端側から流出した水を前記流路切替手段に戻す濾過材他端流出路と、
前記フィルターケーシングの一端側から流出した水を前記流路切替手段に戻す濾過材一端流出路とを備え、
前記流路切替手段は、前記流入口から流入した水槽内の水を前記濾過材一端流入路に流入させて濾過材の一端側から他端側に通過させ、その水を前記濾過材他端流出路を介して前記流路切替手段に戻して前記流出口から流出させて水槽内に戻す循環状態と、前記流入口から流入した水槽内の水を前記濾過材他端流入路に流入させて濾過材の他端側から一端側に通過させ、その水を前記濾過材一端流出路を介して前記流路切替手段に戻して前記流出口から流出させる逆洗状態との間で切替操作可能に構成されていることを特徴とする水槽用フィルター。
【請求項２】
濾過材が収容されたフィルターケーシングと水槽との間で水を循環ポンプによって循環させるようにした水槽用フィルターであって、
流入口と、循環用出口と、水中以外の位置に設けられた排水用出口とを有する流路切替手段と、
前記流路切替手段に流入した水を前記フィルターケーシングの一端側に流入する濾過材一端流入路と、
前記流路切替手段に流入した水を前記フィルターケーシングの他端側に流入する濾過材他端流入路と、
前記フィルターケーシングの他端側から流出した水を前記流路切替手段に戻す濾過材他端流出路と、
前記フィルターケーシングの一端側から流出した水を前記流路切替手段に戻す濾過材一端流出路とを備え、
前記流路切替手段は、前記流入口から流入した水槽内の水を前記濾過材一端流入路に流入させて濾過材の一端側から他端側に通過させ、その水を前記濾過材他端流出路を介して前記流路切替手段に戻して前記循環用出口から流出させて水槽内に戻す循環状態と、前記流入口から流入した水槽内の水を前記濾過材他端流入路に流入させて濾過材の他端側から一端側に通過させ、その水を前記濾過材一端流出路を介して前記流路切替手段に戻して前記排水用出口から流出させる逆洗状態との間で切替操作可能に構成されていることを特徴とする水槽用フィルター。
【請求項３】
濾過材が収容されたフィルターケーシングと水槽との間で水を循環ポンプによって循環させるようにした水槽用フィルターであって、
流入口および流出口を有する流路切替手段と、
前記流路切替手段に流入した水を前記フィルターケーシングの一端側に流入し、または前記フィルターケーシングの一端側から流出した水を前記流路切替手段に戻す導入パイプと、
前記流路切替手段に流入した水を前記フィルターケーシングの他端側に流入し、または前記フィルターケーシングの他端側から流出した水を前記流路切替手段に戻す戻りパイプとを備え、
前記流路切替手段は、前記流入口から流入した水槽内の水を前記導入パイプに流入させて濾過材の一端側から他端側に通過させ、その水を前記戻りパイプを介して前記流路切替手段に戻して前記流出口から流出させて水槽内に戻す循環状態と、前記流入口から流入した水槽内の水を前記戻りパイプに流入させて濾過材の他端側から一端側に通過させ、その水を前記導入パイプを介して前記流路切替手段に戻して前記流出口から流出させる逆洗状態との間で切替操作可能に構成されていることを特徴とする水槽用フィルター。
【請求項４】
前記流路切替手段は、パイプ本体と、そのパイプ本体に回転自在に挿入された回転操作部材とを備え、
前記パイプ本体は、前記流入口と、前記流出口と、前記導入パイプを連結する導入パイプ連結口と、前記戻りパイプを連結する戻りパイプ連結口とを備え、
前記回転操作部材を前記パイプ本体に対し回転操作することによって、前記循環状態においては、前記流入口と前記導入パイプ連結口とが連通され、かつ前記流出口と前記戻りパイプ連結口とが連通される一方、前記逆洗状態においては、前記流入口と前記戻りパイプ連結口が連通され、かつ前記流出口と前記導入パイプ連結口とが連通されるように切替可能に構成されている請求項３に記載の水槽用フィルター。
【請求項５】
前記流路切替手段の流入口と水槽内とが導入パイプによって連結されるとともに、
流路切替手段の流出口と水槽内とが戻りパイプによって連結され、
前記流路切替手段と前記フィルターケーシングの一端側とが濾過材一端流入パイプおよび濾過材一端流出パイプによって連結されるとともに、前記流路切替手段と前記フィルターケーシングの他端側とが濾過材他端流入パイプおよび濾過材他端流出パイプによって連結され、
前記循環状態においては、水槽内の水が前記導入パイプを介して前記流入口から前記流路切替手段に流入し、その水が前記濾過材一端流入パイプを介して前記フィルターケーシングの一端側に流入するとともに、前記フィルターケーシングの他端側から流出した水が前記濾過材他端流出パイプを介して前記流路切替手段に流入して前記流出口から流出し、その水が前記戻りパイプを介して水槽内に戻るように構成される一方、
前記逆洗状態においては、水槽内の水が前記導入パイプを介して前記流入口から前記流路切替手段に流入し、その水が前記濾過材他端流入パイプを介して前記フィルターケーシングの他端側に流入するとともに、前記フィルターケーシングの一端側から流出した水が前記濾過材一端流出パイプを介して前記流路切替手段に流入して前記流出口から流出するように構成され、
前記濾過材一端流入パイプが前記濾過材一端流入路とし、前記濾過材他端流出パイプが前記濾過材他端流出路とし、前記濾過材他端流入パイプが前記濾過材他端流入路とし、前記濾過材一端流出パイプが前記濾過材一端流出路として構成されている請求項１または２に記載の水槽用フィルター。
【請求項６】
前記流路切替手段は、パイプ本体と、そのパイプ本体に回転自在に挿入された回転操作部材とを備え、
前記回転操作部材を前記パイプ本体に対し回転操作することによって、前記循環状態においては、前記濾過材他端流入パイプによる前記流路切替手段から前記フィルターケーシングへの水の供給を阻止しつつ、前記濾過材一端流入パイプによる水の供給を許容し、かつ前記濾過材一端流出パイプによる前記フィルターケーシングから前記流路切替手段への水の供給を阻止しつつ、前記濾過材他端流出パイプによる水の供給を許容する一方、前記逆洗状態においては、前記濾過材一端流入パイプによる前記流路切替手段から前記フィルターケーシングへの水の供給を阻止しつつ、前記濾過材他端流入パイプによる水の供給を許容し、かつ前記濾過材他端流出パイプによる前記フィルターケーシングから前記流路切替手段への水の供給を阻止しつつ、前記濾過材一端流出パイプによる水の供給を許容するように構成されている請求項５に記載の水槽用フィルター。
【発明の詳細な説明】
【技術分野】
【０００１】
この発明は、一般家庭等において熱帯魚や水草等を飼育栽培しつつ観賞する際に用いられる観賞用水槽に設置される水槽用フィルターに関し、特に逆洗機能が付いた水槽用フィルターに関する。
【背景技術】
【０００２】
一般家庭において観賞用水槽によって熱帯魚等の観賞魚や水草等の観葉植物（観賞植物）を飼育栽培しつつ観賞するような場合必要に応じて、水槽用フィルターを設置して水槽内の水を濾過することにより良好な飼育環境を確保するようにしている。
【０００３】
特許文献１，２に示す水槽用フィルターは、水槽の外部に設置される密閉式の外部フィルターであって、水槽内の水が導入パイプを通って外部フィルターに流入してその水が濾過材を通過して濾過された後、外部フィルターから流出して戻りパイプを通って水槽内に戻るようになっている。
【０００４】
このような外部フィルターにおいては、通常の濾過時（循環時）とは逆方向に水を濾過材に通過させることにより、濾過材に取り込まれた汚れ等の異物を剥離して排出するという洗浄（逆洗）を行うのが好ましい。
【先行技術文献】
【特許文献】
【０００５】
【特許文献１】特開２０１１−１２０５７０号
【特許文献２】特開２０１１−５８３８０号
【発明の概要】
【発明が解決しようとする課題】
【０００６】
しかしながら、上記特許文献１，２等に示す水槽用フィルターにおいては、逆洗を行う際に例えばパイプの付け替えを行う等の面倒な作業を必要とする場合があるため、逆洗を行うことが困難になるおそれがあるという課題があった。
【０００７】
この発明は、上記の課題に鑑みてなされたものであり、逆洗を簡単に行うことができる水槽用フィルターを提供することを目的とする。
【課題を解決するための手段】
【０００８】
上記目的を達成するため、本発明は以下の構成を要旨とするものである。
【０００９】
［１］濾過材が収容されたフィルターケーシングと水槽との間で水を循環ポンプによって循環させるようにした水槽用フィルターであって、
流入口および流出口を有する流路切替手段と、
前記流路切替手段に流入した水を前記フィルターケーシングの一端側に流入する濾過材一端流入路と、
前記流路切替手段に流入した水を前記フィルターケーシングの他端側に流入する濾過材他端流入路と、
前記フィルターケーシングの他端側から流出した水を前記流路切替手段に戻す濾過材他端流出路と、
前記フィルターケーシングの一端側から流出した水を前記流路切替手段に戻す濾過材一端流出路とを備え、
前記流路切替手段は、前記流入口から流入した水槽内の水を前記濾過材一端流入路に流入させて濾過材の一端側から他端側に通過させ、その水を前記濾過材他端流出路を介して前記流路切替手段に戻して前記流出口から流出させて水槽内に戻す循環状態と、前記流入口から流入した水槽内の水を前記濾過材他端流入路に流入させて濾過材の他端側から一端側に通過させ、その水を前記濾過材一端流出路を介して前記流路切替手段に戻して前記流出口から流出させる逆洗状態との間で切替操作可能に構成されていることを特徴とする水槽用フィルター。
【００１０】
［２］前記流路切替手段の流出口は、循環用出口と、水中以外の位置に設けられた排水用出口とを有し、
前記循環状態においては水を前記循環用出口から流出させて水槽内に戻すとともに、前記逆洗状態においては水を前記排水用出口から流出させて水槽外に排出可能に構成されている前項１に記載の水槽用フィルター。
【００１１】
［３］前記流路切替手段と前記フィルターケーシングの一端側とが導入パイプによって連結されるとともに、
前記フィルターケーシングの他端側と前記流路切替手段とが戻りパイプによって連結され、
前記循環状態においては、前記流入口から前記流路切替手段に流入した水が前記導入パイプを介して前記フィルターケーシングの一端側に流入するとともに、前記フィルターケーシングの他端側から流出した水が前記戻りパイプを介して前記流路切替手段に流入して前記流出口から流出するように構成される一方、
前記逆洗状態においては、前記流入口から前記流路切替手段に流入した水が前記戻りパイプを介して前記フィルターケーシングの他端側に流入するとともに、前記フィルターケーシングの一端側から流出した水が前記導入パイプを介して前記流路切替手段に流入して前記流出口から流出するように構成され、
前記導入パイプが、前記濾過材一端流入路および前記濾過材一端流出路として構成されるとともに、
前記戻りパイプが、濾過材他端流入路および濾過材他端流出路として構成されている前項１または２に記載の水槽用フィルター。
【００１２】
［４］前記流路切替手段は、パイプ本体と、そのパイプ本体に回転自在に挿入された回転操作部材とを備え、
前記パイプ本体は、前記流入口と、前記流出口と、前記導入パイプを連結する導入パイプ連結口と、前記戻りパイプを連結する戻りパイプ連結口とを備え、
前記回転操作部材を前記パイプ本体に対し回転操作することによって、前記循環状態においては、前記流入口と前記導入パイプ連結口とが連通され、かつ前記流出口と前記戻りパイプ連結口とが連通される一方、前記逆洗状態においては、前記流入口と前記戻りパイプ連結口が連通され、かつ前記流出口と前記導入パイプ連結口とが連通されるように切替可能に構成されている前項３に記載の水槽用フィルター。
【００１３】
［５］前記流路切替手段の流入口と水槽内とが導入パイプによって連結されるとともに、
流路切替手段の流出口と水槽内とが戻りパイプによって連結され、
前記流路切替手段と前記フィルターケーシングの一端側とが濾過材一端流入パイプおよび濾過材一端流出パイプによって連結されるとともに、前記流路切替手段と前記フィルターケーシングの他端側とが濾過材他端流入パイプおよび濾過材他端流出パイプによって連結され、
前記循環状態においては、浴槽内の水が前記導入パイプを介して前記流入口から前記流路切替手段に流入し、その水が前記濾過材一端流入パイプを介して前記フィルターケーシングの一端側に流入するとともに、前記フィルターケーシングの他端側から流出した水が前記濾過材他端流出パイプを介して前記流路切替手段に流入して前記流出口から流出し、その水が前記戻りパイプを介して水槽内に戻るように構成される一方、
前記逆洗状態においては、浴槽内の水が前記導入パイプを介して前記流入口から前記流路切替手段に流入し、その水が前記濾過材他端流入パイプを介して前記フィルターケーシングの他端側に流入するとともに、前記フィルターケーシングの一端側から流出した水が前記濾過材一端流出パイプを介して前記流路切替手段に流入して前記流出口から流出するように構成され、
前記濾過材一端流入パイプが前記濾過材一端流入路とし、前記濾過材他端流出パイプが前記濾過材他端流出路とし、前記濾過材他端流入パイプが前記濾過材他端流入路とし、前記濾過材一端流出パイプが前記濾過材一端流出路として構成されている前項１または２に記載の水槽用フィルター。
【００１４】
［６］前記流路切替手段は、パイプ本体と、そのパイプ本体に回転自在に挿入された回転操作部材とを備え、
前記回転操作部材を前記パイプ本体に対し回転操作することによって、前記循環状態においては、前記濾過材他端流入パイプによる前記流路切替手段から前記フィルターケーシングへの水の供給を阻止しつつ、前記濾過材一端流入パイプによる水の供給を許容し、かつ前記濾過材一端流出パイプによる前記フィルターケーシングから前記流路切替手段への水の供給を阻止しつつ、前記濾過材他端流出パイプによる水の供給を許容する一方、前記逆洗状態においては、前記濾過材一端流入パイプによる前記流路切替手段から前記フィルターケーシングへの水の供給を阻止しつつ、前記濾過材他端流入パイプによる水の供給を許容し、かつ前記濾過材他端流出パイプによる前記フィルターケーシングから前記流路切替手段への水の供給を阻止しつつ、前記濾過材一端流出パイプによる水の供給を許容するように構成されている前項５に記載の水槽用フィルター。
【発明の効果】
【００１５】
発明［１］の水槽用フィルターによれば、流路切替手段を切替操作するだけで簡単に、水を濾過材に対し逆流させて逆洗することができる。さらに流路切替手段やパイプ類を設けるだけのものであるため、水槽回りを簡素な構造に仕上げることができる。
【００１６】
発明［２］の水槽用フィルターによれば、流路切替手段の切替操作によって、水槽内の水を排水用出口から排出できて、水槽の清掃や保守点検、水替え等を簡単に行うことができる。
【００１７】
発明［３］〜［６］の水槽用フィルターによれば、上記の効果をより確実に得ることができる。
【図面の簡単な説明】
【００１８】
【図１】図１はこの発明の第１実施形態である水槽用フィルターが適用された水槽を示す概略斜視図である。
【図２】図２は第１実施形態において循環状態の水槽を示す概略断面図である。
【図３】図３は第１実施形態において逆洗状態の水槽を示す概略断面図である。
【図４】図４は第１実施形態の水槽用フィルターにおける流路切替パイプを分解して示す斜視図である。
【図５】図５は第１実施形態の水槽用フィルターに採用可能な変形例としての流路切替パイプを概略的に示す断面図であって、図（ａ）は循環状態での概略断面図、図（ｂ）は逆洗状態での概略断面図である。
【図６】図６はこの発明の第２実施形態である水槽用フィルターが適用された水槽を示すブロック図である。
【図７】図７は第２実施形態において循環状態の水槽用フィルターを示す概略断面図である。
【図８】図８は第２実施形態において逆洗状態の水槽用フィルターを示す概略断面図である。
【図９】図９は第２実施形態の水槽用フィルターに適用された流路切替パイプを分解して示す斜視図である。
【発明を実施するための形態】
【００１９】
＜第１実施形態＞
図１〜図３はこの発明の第１実施形態である水槽用フィルターＦ１が適用された水槽Ａを示す図である。
【００２０】
これらの図に示すようにこの水槽Ａに設置されるフィルターＦ１は、いわゆる外部フィルターと称されるものであり、後述するように逆洗機能を備えている。このフィルターＦ１は水槽Ａの外部に水槽Ａに対し独立した状態で設置されるフィルターケーシング１を備えている。さらにフィルターＦ１は、フィルターケーシング１以外に、電動式循環ポンプ２、導入パイプ３、流路切替手段としての流路切替パイプＰ１、戻りパイプ１３等を基本的な構成要素として備えている。
【００２１】
フィルターケーシング１は、内部が外部に対し水密が確保された密閉式であり、内部に濾過材１５が収容されている。本実施形態においては、フィルターケーシング１の下端側が一端側であり濾過材１５の一端側に相当し、フィルターケーシング１の上端側が他端側であり濾過材１５の他端側に相当する。
【００２２】
なお本実施形態において、フィルターＦ１のうち、フィルターケーシング１および濾過材１５によって構成されるもの、つまりフィルターＦ１のうち、循環ポンプ２、導入パイプ３、流路切替パイプＰ１および戻りパイプ１３を除いたものをフィルター本体と称している。
【００２３】
図４は流路切替パイプＰ１を分解して示す斜視図である。図２〜図４に示すように流路切替パイプＰ１は、アウターパイプ４１と、インナーパイプ５１とを備えた二重管構造を有している。
【００２４】
アウターパイプ４１の一端は閉塞されており、図２および図３の設置状態において軸方向の中間部に下向きに突出するパイプ状ジョイント４２１（図４参照）が設けられている。そのパイプ状ジョイント４２１に対応するアウターパイプ４１の周壁には貫通孔が形成されており、その貫通孔とパイプ状ジョイント４２１のパイプ孔とによってアウターパイプ４１の内外間を連通する流入口４２が構成されている。
【００２５】
さらにアウターパイプ４１の一端側には下向きに突出するパイプ状ジョイント４３１（図４参照）が設けられている。そのパイプ状ジョイント４３１に対応するアウターパイプ４１の周壁には貫通孔が形成されており、その貫通孔とパイプ状ジョイント４３１のパイプ孔とによってアウターパイプ４１の内外間を連通する循環用出口４３が構成されている。循環用出口４３は、水槽Ａの内部における水面下に配置されている。
【００２６】
またアウターパイプ４１の他端側には上向きに突出するパイプ状ジョイント４４１（図４参照）が設けられている。そのパイプ状ジョイント４４１に対応するアウターパイプ４１の周壁には貫通孔が形成されており、その貫通孔とパイプ状ジョイント４４１のパイプ孔とによってアウターパイプ４１の内外間を連通する排水用出口４４が構成されている。排水用出口４４は水槽Ａ内における水面上、つまり水中以外の位置に配置されている。
【００２７】
なお本実施形態においては、循環用出口４３および排水用出口４４によって流路切替手段の流出口が構成されている。
【００２８】
またアウターパイプ４１の中間位置の両側には上向きに突出するパイプ状ジョイント４７１，４８１（図４参照）がそれぞれ設けられている。各パイプ状ジョイント４７１，４８１に対応するアウターパイプ４１の周壁には貫通孔がそれぞれ形成されており、一方側の貫通孔と一方側のパイプ状ジョイント４７１のパイプ孔とによってアウターパイプ４１の内外を連通する戻りパイプ連結口４７が構成されるとともに、他方側の貫通孔と他方側のパイプ状ジョイント４８１のパイプ孔とによってアウターパイプ４１の内外を連通する導入パイプ連結口４８が構成されている。
【００２９】
なおパイプ状ジョイント４２１，４３１，４４１，４７１，４８１は、必要な箇所に取り付けられていれば良い。さらにパイプ状ジョイント４２１，４３１，４４１，４７１，４８１は、先端に向かうに従って段階的に径寸法が小さくなるように形成しておけば、管径の異なる複数種のパイプやホース等を確実に連結することができる。
【００３０】
インナーパイプ５１は、アウターパイプ４１の他端側開口から挿入されて、アウターパイプ４１内において周方向（軸回り方向）に回転自在に収容されている。インナーパイプ５１の他端側には、大径の操作部５６が取り付けられ、この操作部５６がアウターパイプ４１の他端側から他方側に引き出された状態に配置されている。
【００３１】
インナーパイプ５１の周壁における中間部には、図２の状態において下側に上流室入口５２ａがインナーパイプ５１の周壁を貫通するように形成されるとともに、上側に下流室入口５２ｂがインナーパイプ５１の周壁を貫通するように形成されている。
【００３２】
インナーパイプ５１の周壁における戻りパイプ連結口４７および導入パイプ連結口４８に対応する部分には、その周壁を貫通する態様に通水口５７，５８がほぼ全周にわたって形成されており、インナーパイプ５１がアウターパイプ４１に対しどのような回転位置に配置されていようとも、戻りパイプ連結口４７および導入パイプ連結口４８がインナーパイプ５１内に連通するようになっている。さらにインナーパイプ５１の周壁には、アウターパイプ４１の循環用出口４３および排水用出口４４に対応して循環用開口５３および排水用開口５４が形成されている。
【００３３】
またインナーパイプ５１の中間部には上流室入口５２ａおよび下流室入口５２ｂ間を斜めに仕切る仕切壁５０が形成されており、この仕切壁５０によってインナーパイプ５１の内部（流路切替パイプＰ１の内部）が図２右側の上流室５５ａと同図左側の下流室５５ｂとに水密状態に仕切られている。そして上流室５５ａに対応して、上流室入口５２ａ、通水口５８、排水用開口５４が配置されるとともに、下流室５５ｂに対応して、下流室入口５２ｂ、通水口５７、循環用開口５３が配置されている。
【００３４】
このインナーパイプ５１が既述した通りアウターパイプ４１内に回動自在に挿入配置されて、流路切替パイプＰ１が形成されている。なお図示は省略するが、両パイプ４１，５１間の隙間には適宜Ｏリングが介在されており、所要部の水密が図られている。
【００３５】
なお本実施形態においては、アウターパイプ４１がパイプ本体として構成され、インナーパイプ５１が回転操作部材として構成されている。さらに流路切替パイプＰ１の操作部５６は、水槽Ａの液面上、つまり水中以外の位置に配置されている。
【００３６】
本実施形態の流路切替パイプＰ１においてはインナーパイプ５１をその操作部５６をつまんで回転操作することによって、図２に示す循環状態（濾過状態）と、図３に示す逆洗状態（排水状態）との間で切替可能に構成されている。
【００３７】
図２に示す循環状態においては、流入口４２が上流室入口５２ａを介して上流室５５ａ内に開口し、導入パイプ連結口４８が上流室５５ａ内に開口することによって、流入口４２が導入パイプ連結口４８に連通する。さらにアウターパイプ４１の排水用出口４４はインナーパイプ５１の周壁によって閉塞され、インナーパイプ５１の排水用開口５４はアウターパイプ４１の周壁によって閉塞されている。下流室５５ｂ側においては、戻りパイプ連結口４７は下流室５５ｂ内に開口し、循環用出口４３は循環用開口５３を介して下流室５５ｂ内に開口することにより、戻りパイプ連結口４７が循環用出口４３に連通する。さらに下流室入口５２ｂはアウターパイプ４１の周壁によって閉塞されている。従ってこの循環状態においては、流入口４２から流路切替パイプＰ１内の上流室５５ａに流入した水Ｗは導入パイプ連結口４８から流出する一方、戻りパイプ連結口４７から流路切替パイプＰ１の下流室５５ｂに流入した水Ｗは循環用出口４３から流出するようになっている。
【００３８】
図３に示す逆洗状態においては、流入口４２が下流室入口５２ｂを介して下流室５５ｂ内に開口し、戻りパイプ連結口４７が下流室５５ｂ内に開口することによって、流入口４２が戻りパイプ連結口４７に連通する。さらにアウターパイプ４１の循環用出口４３はインナーパイプ５１の周壁によって閉塞され、インナーパイプ５１の循環用開口５４はアウターパイプ４１の周壁によって閉塞されている。さらに上流室５５ａ側においては、導入パイプ連結口４８は上流室５５ａ内に開口し、排水用出口４４は排水用開口５４を介して上流室５５ａ内に開口することにより、導入パイプ連結口４８が排水用出口４４に連通する。さらに上流室入口５２ａはアウターパイプ４１の周壁によって閉塞されている。従ってこの逆洗状態においては、流入口４２から流路切替パイプＰ１内の下流室５５ａに流入した水Ｗは戻りパイプ連結口４７から流出する一方、導入パイプ連結口４８から流路切替パイプＰ１の上流室５５ａに流入した水Ｗは排水用出口４４から流出するようになっている。
【００３９】
図１〜図３に示すように、循環ポンプ２は水槽Ａの水面下に配置される水中ポンプによって構成されている。この循環ポンプ２の吐出口２２が流路切替パイプＰ１の流入口４２に連結されており、吸引口２１から循環ポンプ２内に吸い込まれた水槽Ａ内の水Ｗが吐出口２２から吐出されて、流路切替パイプＰ１の流入口４２に流入するようになっている。
【００４０】
流路切替パイプＰ１の導入パイプ連結口４８には導入パイプ３の一端が連結されるとともに、導入パイプ３の他端がフィルターケーシング１の下端側（一端側）に連結されている。従って導入パイプ３の他端開口がフィルターケーシング１内における濾過材１５の一端側に開放されている。
【００４１】
流路切替パイプＰ１の戻りパイプ連結口４７には戻りパイプ１３の一端が連結されるとともに、戻りパイプ１３の他端がフィルターケーシング１の上端側（他端側）に連結されている。従って戻りパイプ１３の他端開口がフィルターケーシング１内における濾過材１５の他端側に開放されている。
【００４２】
以上のように構成された本実施形態の水槽用フィルターＦ１においては、水槽Ａ内の水Ｗを濾過する本来の機能に加えて、フィルター本体内に水Ｗを逆流させて濾過材１５から異物を剥離して、その異物を含む水Ｗを排水する逆洗機能も備えている。
【００４３】
まず通常の濾過処理を行う場合には、必要に応じて流路切替パイプＰ１の操作部５６を操作して図２に示す循環状態に設定して、既述した通り、流路切替パイプＰ１の流入口４２を導入パイプ連結口４８に連通させるとともに、戻りパイプ連結口４７を循環用出口４３に連通させておく。その状態で循環ポンプ２を駆動する。
【００４４】
これにより水槽Ａ内の水Ｗが循環ポンプ２の吸引口２１から吸い込まれて吐出口２２から吐出されて、流入口４２を介して流路切替パイプＰ１の上流室５５ａ内に流入する。上流室５５ａに流入した水Ｗは導入パイプ連結口４８から吐出されて導入パイプ３を介してフィルターケーシング１の一端側に流入する。フィルターケーシング１内に流入した水Ｗは濾過材１５を一端側（下端側）から他端側（上端側）に向けて通過してフィルターケーシング１の他端側から流出して戻りパイプ１３を介して戻りパイプ連結口４７から流路切替パイプＰ１の下流室５５ｂ内に流入する。下流室５５ｂ内に流入した水Ｗは循環用出口４３から吐出されて水槽Ａ内に戻る。
【００４５】
こうして水槽Ａ内の水Ｗがフィルターケーシング１内の濾過材１５を通過して水槽Ａ内に戻るように循環することによって、水槽Ａの水Ｗが濾過される。
【００４６】
ここで本実施形態において、循環ポンプ２から流路切替パイプＰ１の上流室５５ａ、導入パイプ３、フィルター本体、戻りパイプ１、および流路切替パイプ５１の下流室５５ｂ
にかけての水Ｗの流路によって循環流路が構成されている。この循環流路は外部に対し水密性および気密性が確保された閉管路によって構成されており、循環ポンプ２の駆動力（水圧）によって水Ｗが循環流路全域を流動するようになっている。
【００４７】
一方、逆洗処理を行う場合には流路切替パイプＰ１の操作部５６を操作して図３に示す逆洗状態に設定し、流路切替パイプＰ１の流入口４２を戻りパイプ連結口４７に連通させるとともに、導入パイプ連結口４８を排水用出口４４に連通させる。さらに流路切替パイプＰ１の排水用出口４４のパイプ状ジョイント４４１に、排水ホース（図示省略）の一端を接続するとともに、その排水ホースの他端をバケツ等の所定の排水箇所に配置する。その状態で循環ポンプ２を駆動する。
【００４８】
これにより上記循環状態とは逆回りに水Ｗが循環する。すなわち水槽Ａ内の水Ｗが循環ポンプ２から吐出されて流入口４２を介して流路切替パイプＰ１の下流室５５ｂ内に流入する。下流室５５ｂに流入した水Ｗは戻りパイプ連結口４７から吐出されて戻りパイプ１３を逆流してフィルターケーシング１の他端側に流入する。フィルターケーシング１内に流入した水Ｗは濾過材１５を他端側（上端側）から一端側（下端側）に向けて逆方向に通過する。こうして水Ｗが濾過材１５を逆方向に流通する際に、濾過材１５に付着した異物（汚れ）が水Ｗ内に剥離し、その異物を含んだ水（汚染水）Ｗがフィルターケーシング１の一端側から流出する。そしてこの汚染水Ｗが導入パイプ３を逆流して導入パイプ連結口４８から流路切替パイプＰ１の上流室５５ａ内に流入し、排水用出口４４から吐出されて、上記排水ホース等を介してバケツ等の所定の排水箇所に排出される。
【００４９】
ここで本実施形態において、循環ポンプ２から流路切替パイプＰ１の下流室５５ｂ、戻りパイプ１３、フィルター本体、導入パイプ３、および流路切替パイプ５１の上流室５５ａにかけての水Ｗの流路によって逆洗流路が構成されている。この逆洗流路は上記循環流路と同様、外部に対し水密性および気密性が確保された閉管路によって構成されており、循環ポンプ２の駆動力（水圧）によって水Ｗが逆洗流路全域を流動するようになっている。
【００５０】
また本実施形態においては、導入パイプ３が濾過材一端流入路および濾過材一端流出路を構成するとともに、戻りパイプ１３が濾過材他端流出路および濾過材他端流入路を構成するものである。
【００５１】
なお水槽Ａの水替え等を行う際には水槽Ａ内の水Ｗを排出するが、本実施形態においては、上記逆洗機能を利用して水替え時の水槽Ａの排水を行うことも可能である。つまり上記逆洗処理によって、水槽Ａ内の水Ｗを所定量排出した後、所定量の水Ｗを新たに投入することにより、水替えを行うことができる。
【００５２】
このように本実施形態の水槽用フィルターＦ１においては、逆洗時の他に、清掃、保守点検、水替え等の排水時に、流路切替パイプＰ１の切替操作を行うというワンタッチ操作を行うだけで、水槽Ａ内の水Ｗを簡単かつスムーズに排出でき、逆洗や水替えを簡単に行うことができる。
【００５３】
さらにこの排水時においては、水槽Ａに予め設置されている循環ポンプ２の吸引口２１から水槽Ａ内の水Ｗを吸い込むようにしている。換言すれば、循環ポンプ２の吸引口２１は、水槽Ａ内に敷き詰められる小石、砂利、砂等の敷き材や、水槽Ａ内に設置される人工プランツ等の装飾部品を吸い込まない位置に予め設定されている。その上さらに循環ポンプ２の吸引口２１には通常、異物の吸込を防止するためのストレーナが設けられている。このため本実施形態の水槽用フィルターＦ１によれば、排水時に敷き材や装飾部品を水と一緒に吸い込んで排出してレイアウトを崩してしまうような不具合を確実に防止でき、排水後にレイアウトを再調整するという面倒な作業も不要で、排水処理をより一層簡単に行うことができる。
【００５４】
また本実施形態の水槽用フィルターＦ１においては、水替え等の排水時に循環ポンプ２の吸引口２１から水槽Ａ内の水Ｗを吸い込んで排出するようにしているため、水槽Ａ内の水位が吸引口２１よりも低くなると、それ以上の排水を防止することができる。つまり循環ポンプ２を適当な位置に配置しておけば、水Ｗを必要以上に多く排出してしまうのを防止でき、水Ｗの排出量、ひいては入れ替え量を適正に保つことができ、水槽Ａ内の飼育栽培環境を良好に維持することができる。
【００５５】
また本実施形態の水槽用フィルターＦ１においては、従来のフィルター（濾過装置）に流路切替パイプＰ１等を取り付けて逆洗や水替え用の排水機能を付加するものであるため、従来の排水専用の排水装置（排水機構）等を組み付ける場合と比較して、水槽周辺に排水機構設置用のスペースを確保する必要がない。従って省スペース化を図ることができるとともに、水槽回りの構造を簡素に仕上げることができ、水槽全体として良好な美観を得ることができる。
【００５６】
また本実施形態においては、流路切替パイプＰ１の排水用出口４４を水槽Ａの水面上に配置しているため、濾過処理中に使用者が謝って逆洗（排水）状態に切り替えて水Ｗを流路切替パイプＰ１の排水用出口４４から吐出させてしまったとしても、排水用出口４４から吐出される水Ｗは水槽Ａ内に回収される。このため水Ｗが水槽Ａの外部に散乱してしまうような不具合も確実に防止することができる。
【００５７】
また本実施形態においては、流路切替パイプＰ１の流入口４２、循環用出口４３、排水用出口４４、戻りパイプ連結口４７および導入パイプ連結口４８にパイプ状ジョイント４２１，４３１，４４１，４７１，４８１を取り付けているため（図４３参照）、そのパイプ状ジョイント４２１，４３１，４４１，４７１，４８１を介して流入口４２、循環用出口４３、排水用出口４４、戻りパイプ連結口４７および導入パイプ連結口４８に、各種パイプやホース等を簡単かつ確実に接続することができ、利便性を向上させることができる。
【００５８】
また本実施形態においては、流路切替パイプＰ１の排水用出口４４に着脱自在な閉塞栓を設けておき、排水時等の必要時のみに排水用出口４４を開放することもできる。
【００５９】
なお上記第１実施形態においては、流路切替パイプＰ１のアウターパイプ４１の各開口を開閉するために、インナーパイプ５１等の回転操作部材を用いるようにしているが、本発明はそれだけに限られず、インナーパイプに代えて図５に示すように軸部材６１等の回転操作部材を用いるようにしても良い。
【００６０】
すなわち図５に示す変形例の流路切替パイプＰ１１は、両端が閉塞されたパイプ本体（アウターパイプ）４１の周壁に上記第１実施形態と同様に、流入口４２、循環用出口４３、排水用出口４４、戻りパイプ連結口４７および導入パイプ連結口４８が形成されている。このパイプ本体４１内に軸心に沿って軸部材６１が軸心回りに回転自在に収容されている。この軸部材６１はパイプ本体４１の端部閉塞壁を貫通して、軸部材６１の端部が外部に配置されるとともに、その外端部に操作部５６が設けられている。さらに軸部材６１には、循環用出口４３を閉塞可能な循環用出口閉塞弁６３が設けられるとともに、排水用出口４４を閉塞可能何排水用出口閉塞弁６４が設けられている。さらに軸部材６１には、上記流路仕切パイプＰ１の仕切壁５０に相当する仕切板６０が、上流室入口５２ａおよび下流室入口５２ｂ間を斜めに仕切るように取り付けられており、この仕切板６０によってパイプ本体４１の内部が図５右側の上流室５５ａと同図左側の下流室５５ｂとに水密状態に仕切られている。そしてこの流路切替パイプＰ１１においては、操作部５６をつまんで軸部材６１を回転操作して、同図（ａ）に示すように上流室５５ａ側において排水用出口４４を排水用出口閉塞弁６４によって閉塞しつつ、流入口４２を導入パイプ連結口４８に連通し、かつ下流室５５ｂ側において戻りパイプ連結口４７を循環用出口４３に連通することによって、流入口４２から上流室５５ａに流入した水Ｗを導入パイプ連結口４８から流出させるとともに、戻りパイプ連結口４７から下流室５５ｂに流入した水Ｗを循環用出口４３から流出させる循環状態と、同図（ｂ）に示すように下流室５５ｂ側において循環用出口４３を循環用出口閉塞弁６３によって閉塞しつつ、流入口４２を戻りパイプ連結口４７に連通し、かつ上流室５５ａ側において導入パイプ連結口４８を排水用出口４４に連通することによって、流入口４２から下流室５５ｂに流入した水Ｗを戻りパイプ連結口４７から流出させるとともに、導入パイプ連結口４８から上流室５５ａに流入した水Ｗを排水用出口４４から流出させる逆洗状態との間で切替可能に構成されている。
【００６１】
＜第２実施形態＞
図６はこの発明の第２実施形態である水槽用フィルターＦ２が設置された水槽Ａを示すブロック図、図７および図８は水槽用フィルターＦ２を示す概略断面図である。これらの図に示すようにこの水槽用フィルターＦ２は、流路切替手段としての流路切替パイプＰ２や循環ポンプ２がフィルター本体（フィルターケーシング１）側に設けられている点が、上記第１実施形態の水槽用フィルターＦ１と大きく相違する点である。なお図６においては流路切替パイプＰ２回りのパイプ類の図示を一部省略している。
【００６２】
本実施形態における水槽用フィルターＦ２のフィルターケーシング１は、密閉式のものであり、内部に濾過材１５が収容されている。このフィルターケーシング１は上記と同様、下端側が一端側であり濾過材１５の一端側に相当し、上端側が他端側であり濾過材１５の他端側に相当する。
【００６３】
図７および図８に示すように流路切替パイプＰ２はアウターパイプ４１と、インナーパイプ５１とを備えた二重管構造を有している。
【００６４】
アウターパイプ４１は、下側部がフィルターケーシング１の上壁を貫通してほぼ軸心に沿って配置されるように取り付けられている。さらにアウターパイプ４１の下側部は濾過材１５を貫通して配置されており、下端部が濾過材１５よりも下側（一端側）に配置されている。
【００６５】
図７〜図９に示すようにアウターパイプ４１の周壁におけるフィルターケーシング１の上壁上方には、上側から順に流入口４２、濾過材他端流入パイプ連結口７１、濾過材一端流入パイプ連結口７２、排水用出口４４、循環用出口４３、ポンプ吐出側パイプ連結口７３が形成されている。さらにアウターパイプ４１の周壁におけるフィルターケーシング１の内部には、濾過材他端側（上側）に対応して、ポンプ吸引側パイプ連結口７４および濾過材他端対応口７５が形成されるとともに、濾過材一端側（下側）に対応して濾過材一端対応口７６が形成されている。
【００６６】
また図６〜図８に示すようにアウターパイプ４１の流入口４２には、導入パイプ３の一端が連結されるとともに、そのパイプ３の他端が水槽Ａの内部に配置されている。さらにアウターパイプ４１の循環用出口４３には、戻りパイプ１３の一端が連結されるとともに、そのパイプ１３の他端が水槽Ａの内部に配置されている。
【００６７】
図７〜図９に示すようにアウターパイプ４１の濾過材他端流入パイプ連結口７１には、濾過材他端流入路としての濾過材他端流入パイプ８１の上端が連結されるとともに、そのパイプ８１がフィルターケーシング１の上壁を貫通して、下端がフィルターケーシング１内の濾過材１５の他端側（上側）に配置されている。さらにアウターパイプ４１における濾過材一端流入パイプ連結口７２には、濾過材一端流入路としての濾過材一端流入パイプ８２の上端が連結されるとともに、そのパイプ８２がフィルターケーシング１の上壁および濾過材１５を貫通して、下端がフィルターケーシング１内の濾過材１５の一端側（下側）に配置されている。
【００６８】
またフィルターケーシング１の上壁には循環ポンプ２が取り付けられており、フィルターケーシング１内における濾過材１５の上側において、アウターパイプ４１のポンプ吸引側パイプ連結口７４にはポンプ吸引側パイプ８４の一端が連結されるとともに、そのパイプ８４の他端側がフィルターケーシング１の上壁を貫通して、循環ポンプ２の吸引口に連結されている。さらにフィルターケーシング１の上壁上方において、循環ポンプ２の吐出口にはポンプ吐出側パイプ８３の一端が連結されるとともに、そのパイプ８３の他端がアウターパイプ４１のポンプ吐出側パイプ連結口７３に連結されている。
【００６９】
なお本実施形態においては、循環用出口４３および排水用出口４４によって流路切替手段の流出口が構成されている。
【００７０】
インナーパイプ５１は、アウターパイプ４１の上端側開口から挿入されて、アウターパイプ４１内において周方向（軸回り方向）に回転自在に収容されている。インナーパイプ５１の他端側には、大径の操作部５６が取り付けられ、この操作部５６がアウターパイプ４１の上端側から上方に引き出された状態に配置されている。
【００７１】
インナーパイプ５１の内部には、アウターパイプ４１の濾過材一端流入パイプ連結口７２と排水用出口４４との間に対応して第１仕切壁５０ａが形成されるとともに、アウターパイプ４１のポンプ吐出側パイプ連結口７３とポンプ吸引側パイプ連結口７４との間に対応して第２仕切壁５０ｂが形成されている。各仕切壁５０ａ，５０ｂによってインナーパイプ５１の内部が水密状態に仕切られることにより、流路切替パイプＰ２内における第１仕切壁５０ａよりも上側が上流室５５ａ、第１および第２仕切壁５０ａ，５０ｂ間が下流室５５ｂ、第２仕切壁５０ｂよりも下側が第３室５５ｃとしてそれぞれ構成されている。
【００７２】
上流室５５ａにおいてインナーパイプ５１の周壁における流入口４２に対応する部分には、通水口５２がほぼ全周にわたって形成されており、インナーパイプ５１がアウターパイプ４１に対しどのような回転位置に配置されていようとも、流入口４２がインナーパイプ５１内に連通するようになっている。
【００７３】
インナーパイプ５１の周壁には、逆洗時に濾過材他端流入パイプ連結口７１に対応して配置される開放口９１が形成されるとともに、循環時（濾過時）に濾過材一端流入パイプ連結口７２に対応して配置される開放口９２が形成されている。
【００７４】
下流室５５ｂにおいてインナーパイプ５１の周壁には、逆洗時に排水用出口４４に対応して配置される排水用開口５４が形成されるとともに、濾過時に循環用出口４３に対応して配置される循環用開口５３が形成されている。
【００７５】
下流室５５ｂおよび第３室５５ｃにおいてインナーパイプ５１の周壁には、ポンプ吐出側パイプ連結口７３およびポンプ吸引側パイプ連結口７４に対応する部分には、その周壁を貫通する態様に通水口９３，９４がほぼ全周にわたって形成されており、インナーパイプ５１がアウターパイプ４１に対しどのような回転位置に配置されていようとも、ポンプ吐出側パイプ連結口７３およびポンプ吸引側パイプ連結口７４がインナーパイプ内に連通するようになっている。
【００７６】
第３室５５ｃにおいてインナーパイプ５１の周壁には、循環時（濾過時）に濾過材他端対応口７５に対応して配置される開放口９５が形成されるとともに、逆洗時に濾過材一端対応口７６に対応して配置される開放口９６が形成されている。
【００７７】
本実施形態の流路仕切パイプＰ２においてはインナーパイプ５１をその操作部５６をつまんで回転操作することによって、図７に示す循環状態（濾過状態）と、図８に示す逆洗状態（排水状態）との間で切替可能に構成されている。
【００７８】
図７に示す循環状態において、上流室５５ａでは濾過材他端流入パイプ連結口７１がインナーパイプ５１の周壁によって閉塞されつつ、濾過材一端流入パイプ連結口７２がインナーパイプ５１の開放口９２によって開放されて、流入口４２が濾過材一端流入パイプ連結口７２に連通する。下流室５５ｂでは排水用出口４４がインナーパイプ５１の周壁によって閉塞されつつ、循環用出口４３がインナーパイプ５１の循環用開口５３によって開放されて、ポンプ吐出側パイプ連結口７３が循環用出口４３に連通する。第３室５５ｃでは濾過材一端対応口７６がインナーパイプ５１の周壁によって閉塞されつつ、濾過材他端対応口７５がインナーパイプ５１の開放口９５によって開放されて、濾過材他端対応口７５がポンプ吸引側パイプ連結口７４に連通する。
【００７９】
この状態で循環ポンプ２が駆動すると、水槽Ａ内の水Ｗが導入パイプ３から吸引されて、導入パイプ３を通って流入口４２から流路切替パイプＰ２の上流室５５ａ内に流入する。上流室５５ａ内に流入した水Ｗは、開放口９２および濾過材一端流入パイプ連結口７２から流出して濾過材一端流入パイプ８２を通ってフィルターケーシング１内における濾過材１５の一端側（下側）に流入する。濾過材１５の下側に流入した水Ｗは、濾過材１５を通過して濾過された後、濾過材１５の他端側（上側）に移動し、そこから濾過材他端対応口７５および開放口９５を介して第３室５５ｃ内に流入する。第３室５５ｃ内に流入した水Ｗは、ポンプ吸引側パイプ連結口７４からポンプ吸引側パイプ８４に流入し、循環ポンプ２およびポンプ吐出側パイプ８３を通って、ポンプ吐出側連結口７３から下流室５５ｂ内に流入する。下流室５５ｂに流入した水Ｗは、循環用開口５３および循環用出口４３から戻りパイプ１３内に流入されて、戻りパイプ１３を通って水槽Ａ内に戻される。
【００８０】
このように水Ｗが水槽Ａおよびフィルターケーシング１間を循環することによって、水槽Ａ内の水Ｗがフィルターケーシング１内の濾過材１５によって濾過される。なおこの循環時に各パイプ等によって構成される循環流路は上記第１実施形態と同様、外部に対し水密性および気密性が確保された閉管路によって構成されており、循環ポンプ２の駆動力（水圧）によって水Ｗが循環流路全域を流動するようになっている。
【００８１】
ここで本実施形態においては、濾過材他端対応口７５から、流路仕切パイプＰ２（第３室５５ｃ）の一部、ポンプ吸引側パイプ８４、循環ポンプ２内の流路、ポンプ吐出側パイプ８３にかけての管路によって、濾過材他端流出路および濾過材他端流出パイプが構成されている。また言うまでもなく、濾過材一端流入パイプ８２によって、濾過材一端流入路が構成されている。
【００８２】
一方図８に示す逆洗状態において、上流室５５ａでは濾過材一端流入パイプ連結口７２がインナーパイプ５１の周壁によって閉塞されつつ、濾過材他端流入パイプ連結口７１がインナーパイプ５１の開放口９１によって開放されて、流入口４２が濾過材他端流入パイプ連結口７１に連通する。下流室５５ｂでは循環用出口４３がインナーパイプ５１の周壁によって閉塞されつつ、排水用出口４４がインナーパイプ５１の循環用開口５４によって開放されて、ポンプ吐出側パイプ連結口７３が排水用出口４４に連通する。第３室５５ｃでは濾過材他端対応口７５がインナーパイプ５１の周壁によって閉塞されつつ、濾過材一端対応口７６がインナーパイプ５１の開放口９６によって開放されて、濾過材一端対応口７６がポンプ吸引側パイプ連結口７４に連通する。
【００８３】
なお逆洗処理を実施する前に必要に応じて予め、流路切替パイプＰ２の排水用出口４４に排水ホース（図示省略）の一端を接続するとともに、その排水ホースの他端をバケツ等の所定の排水箇所に配置しておく。
【００８４】
そしてこの状態で循環ポンプ２が駆動すると、水槽Ａ内の水Ｗが導入パイプ３から吸引されて、導入パイプ３を通って流入口４２から流路切替パイプＰ２の上流室５５ａ内に流入する。上流室５５ａ内に流入した水Ｗは、開放口９１および濾過材他端流入パイプ連結口７１から流出して濾過材他端流入パイプ８１を通ってフィルターケーシング１内における濾過材１５の他端側（上側）に流入する。濾過材１５の上側に流入した水Ｗは、濾過材１５を上記と逆方向（下方向）に通過する。このとき上記第１実施形態と同様、濾過材１５に付着した異物（汚れ）が剥離し、その異物を含んだ水（汚染水）Ｗが濾過材１５の一端側（下側）に移動する。濾過材１５の下側に移動した水Ｗは、濾過材一端対応口７６および開放口９６を介して第３室５５ｃ内に流入する。第３室５５ｃ内に流入した水Ｗは、ポンプ吸引側パイプ連結口７４からポンプ吸引側パイプ８４に流入し、循環ポンプ２およびポンプ吐出側パイプ８３を通って、ポンプ吐出側連結口７３から下流室５５ｂ内に流入する。下流室５５ｂに流入した水Ｗは、排水用開口５４および排水用出口４４から吐出されて、上記排水ホースを介して所定の排水箇所に排出される。
【００８５】
このように水槽Ａ内の水Ａがフィルターケーシング１を逆流して濾過材１５を洗浄した後、その汚染水Ｗが排出される。なおこの逆洗時に各パイプ等によって構成される逆洗流路は上記と同様、外部に対し水密性および気密性が確保された閉管路によって構成されており、循環ポンプ２の駆動力（水圧）によって水Ｗが逆洗流路全域を流動するようになっている。
【００８６】
ここで本実施形態においては、濾過材一端対応口７６から、流路仕切パイプＰ２（第３室５５ｃ）の一部、ポンプ吸引側パイプ８４、循環ポンプ２内の流路、ポンプ吐出側パイプ８３にかけての管路によって濾過材一端流出路および濾過材一端流出パイプが構成されている。また言うまでもなく、濾過材他端流入パイプ８１によって濾過材他端流入路が構成されている。
【００８７】
この第２実施形態においても、上記第１実施形態と同様、逆洗機能を利用して、水槽Ａ内の清掃、保守点検、水替え等を行う際に水槽Ａ内の水Ｗを排出することも可能である。
【００８８】
以上のように本実施形態の水槽用フィルターＦ２においても、逆洗や水替え等の排水時には、流路切替パイプＰ２の切替操作を行うというワンタッチ操作を行うだけで、水槽Ａ内の水Ｗを簡単かつスムーズに排出することができる。
【００８９】
またこの第２実施形態においても上記第１実施形態と同様、排水時に敷き材や装飾部品を水と一緒に吸い込んで排出してレイアウトを崩してしまうような不具合を確実に防止できるとともに、水替え等の排水時に水Ｗを必要以上に多く排出してしまうのを防止でき、水槽回りの構造を簡素に仕上げることができる、
なお本実施形態においては、流路切替パイプＰ２の排水用出口４４を省略することも可能である。例えば循環時（濾過時）および逆洗時（排水時）共に、流路切替パイプＰ２の循環用出口４３から水Ｗが吐出するように構成しておき、循環時（濾過時）には上記と同様に水Ｗを循環させる一方、逆洗時には循環用出口４３に連結された戻りパイプ１３の端部を水槽Ａから取り出して、バケツ等の排水箇所に配置するようにすれば、逆洗時には汚染水Ｗを確実に水槽外に排出することができる。
【００９０】
またこの第２実施形態においても上記図５に示す第１実施形態の変形例と同様に、流路切替パイプＰ２のインナーパイプ５１に代えて、閉塞弁付きの軸部材等の回転操作部材を用いることも可能である。
【産業上の利用可能性】
【００９１】
この発明の水槽用フィルターは、一般家庭等で用いられる観賞魚用水槽等の水槽に逆洗機能付きの濾過装置として採用することができる。
【符号の説明】
【００９２】
１：フィルターケーシング
１３：戻りパイプ
１５：濾過材
２：循環ポンプ
３：導入パイプ
４１：アウターパイプ（パイプ本体）
４２：流入口
４３：循環用出口（流出口）
４４：排水用出口（流出口）
４７：戻りパイプ連結口
４８：導入パイプ連結口
５１：インナーパイプ（回転操作部材）
５６：操作部
５７：通水口（戻りパイプ連通）
５８：通水口（導入パイプ連通）
６０：仕切板
６１；軸部材（回転操作部材）
８１：濾過材他端流入パイプ（濾過材他端流入路）
８２：濾過材一端流入パイプ（濾過材一端流入路）
Ａ：観賞魚用水槽
Ｆ１，Ｆ２：フィルター
Ｐ１，Ｐ１１，Ｐ２：流路切替パイプ（流路切替手段）
Ｗ：水
【図１】
0006383715.tif 000002
【図２】
0006383715.tif 000003
【図３】
0006383715.tif 000004
【図４】
0006383715.tif 000005
【図５】
0006383715.tif 000006
【図６】
0006383715.tif 000007
【図７】
0006383715.tif 000008
【図８】
0006383715.tif 000009
【図９】
0006383715.tif 000010